(57)【特許請求の範囲】
【請求項１】
粘着テープ（３８）を巻回したテープリール（３２）を回転可能に保持するリール体保持部（３６）およびビニール袋等の被シール体（Ｃ）を所定位置まで案内する案内通路（４０）を形成した装置フレーム（２８）と、
前記案内通路（４０）の入口近傍に臨むように配設され、外周面に凹溝（４４）が形成された歯車（４２）と、
前記案内通路（４０）を挟んで前記歯車（４２）と対向するように配置され前記装置フレーム（２８）に固設されたテープリテーナ回動用支持軸（５６）と、
前記歯車（４２）の外周面に対向する側面部に円弧状の斜面（５２ａ）が形成され、この円弧状の斜面（５２ａ）と反対側の後面部にばね取り付け部（５４）が形成され、これら斜面（５２ａ）とばね取り付け部（５４）との間の略中間部に長孔（５５）が形成されているとともに、この長孔（５５）内に前記テープリテーナ回動用支持軸（５６）が配置されることにより、前記装置フレーム（２８）に対して回動自在に支持されたテープリテーナ（５０）と、
前記テープリテーナ（５０）の前記歯車（４２）とは反対側の後面部に形成されたばね取り付け部（５４）に一端が取り付けられ、他端が前記装置フレーム（２８）に支持されることにより、前記テープリテーナ（５０）の前記歯車（４２）に対向する円弧状の斜面（５２ａ）を前記歯車（４２）に当接する方向に付勢するテープリテーナ引張用スプリング（５８）と、
前記案内通路（４０）の下流域で前記テープリテーナ回動用支持軸（５６）と同じ側に配置された位置規制軸（６４）と、
前記案内通路（４０）を挟んで前記位置規制軸（６４）の反対側に配置されたフォーミングレバー用回動軸（９４）と、
基端部（５３）と作用端部（５７）との間に略コ字状部の凹所（５１）が形成されたフォーミングレバー本体（７１）並びに、このフォーミングレバー本体（７１）の前記作用端部（５７）側に一体的に取り付けられたカッターホルダー（７５）から構成されたフォーミングレバー（７８）と、
前記フォーミングレバー本体（７１）に一端が取り付けられ、他端が前記装置フレーム（２８）に支持されることにより、前記フォーミングレバー本体（７１）の前記基端部（５３）を前記位置規制軸（６４）に当接するように付勢するフォーミングレバー引張用スプリング（９２）と、
前記フォーミングレバー本体（７１）の前記作用端部（５７）と前記カッターホルダー（７５）とに形成されたくちばし状の通路（８６）からなり、前記粘着テープ（３８）の先端部を縦方向に折り曲げる折曲手段と、
前記フォーミングレバー本体（７１）の前記作用端部（５７）側に具備され、前記粘着テープ（３８）を切断する切断手段と、を有し、
前記くちばし状の通路（８６）に、前記粘着テープ（３８）が差し込まれることにより、前記粘着テープ（３８）が縦方向に折り曲げられることを特徴とするテープ結束器（２０）。
【請求項２】
前記テープリテーナ（５０）の外周面には、スライド操作用の突起（１５）が形成されていることを特徴とする請求項１に記載のテープ結束器。
【請求項３】
前記切断手段は平板状のカッター刃（６８）であり、このカッター刃（６８）が前記フォーミングレバー本体（７１）と前記カッターホルダー（７５）との間に着脱自在に取り付けられていることを特徴とする請求項１に記載のテープ結束器。
【請求項４】
前記カッター刃（６８）は、前記作用端部（５７）の進行方向に対して切断部分が斜めに配置されていることを特徴とする請求項３に記載のテープ結束器。
【請求項５】
前記くちばし状の通路（８６）には、該くちばし状の通路（８６）を構成する一方の側壁と他方の側壁とに、該くちばし状の通路の両側から突起（８３）が互い違いに形成されることより、くちばし状の通路（８６）が縦方向にジグザグになるように形成されていることを特徴とする請求項１に記載のテープ結束器。
【請求項６】
前記位置規制軸（６４）には、円筒状の筒部材が回転自在に取り付けられており、この筒部材の略中央部に、環状突起が形成されていることを特徴とする請求項１に記載のテープ結束器。
【請求項７】
前記環状突起は、ゴム製のＯリング（６３）であることを特徴とする請求項６に記載のテープ結束器。
【発明の詳細な説明】
【０００１】
【発明の属する技術分野】
本発明は、ビニール袋の開口部等を封止するのに好適なテープ結束器に関するものである。
【０００２】
【従来の技術】
例えば、野菜、菓子、パン類などは、ビニール袋に収容された状態で店頭に並べられる場合がある。その場合、袋の開口部は、片面粘着テープが巻きつけられることにより封止されている。
このような粘着テープを開口部などに巻き付ける結束器として、特開平８−９１３２９号公報に記載された結束器が知られている。この結束器１０は、図１１に示したように、平板状の装置フレーム１１に、粘着テープ８を取り付けたテープリール６が回動自在に設置されるとともに、他方側の案内溝４内に、歯車３とテープリテーナ５とが対向するように配置され、さらに図示しないカッター刃が、回動自在なフォーミングレバー１２の他端側に具備されている。そして、図１２に示したように、例えば、物品が収容されたビニール袋２の口部開口付近を絞った状態で、案内溝４内に挿入すれば、歯車４が回動され、歯車４の溝内でテープの環が形成されるとともに、この状態から、さらにビニール袋２を下方に押し込むことにより、フォーミングレバー１２が回動され、他方側に装着された図示しないカッター刃により、テープ８の端末８ａが切断されている。
【０００３】
【発明が解決しようとする課題】
ところで、このような従来の結束器１０では、ビニール袋２が粘着テープ８で封止されたとしても、図１２に示したように、粘着テープ８の端末８ａは、のり面同士が互いに接着されてしまうため、粘着テープ８を剥がすことが困難で、結局の所、このテープ８を剥がさずに、袋２を破ることにより、内部の物品を取り出すようにしていた。
【０００４】
本発明は、このような実情に鑑み、ビニール袋の開口などを結束した片面粘着テープを容易に剥がすことが可能な結束器を提供することを目的としている。
【０００５】
【課題を解決するための手段】
上記目的を達成するための本発明は、
粘着テープ３８を巻回したテープリール３２を回転可能に保持するリール体保持部３６およびビニール袋等の被シール体Ｃを所定位置まで案内する案内通路４０を形成した装置フレーム２８と、
前記案内通路４０の入口近傍に臨むように配設され、外周面に凹溝４４が形成された歯車４２と、
前記案内通路４０を挟んで前記歯車４２と対向するように配置され前記装置フレーム２８に固設されたテープリテーナ回動用支持軸５６と、
前記歯車４２の外周面に対向する側面部に円弧状の斜面５２ａが形成され、この円弧状の斜面５２ａと反対側の後面部にばね取り付け部５４が形成され、これら斜面５２ａとばね取り付け部５４との間の略中間部に長孔５５が形成されているとともに、この長孔５５内に前記テープリテーナ回動用支持軸５６が配置されることにより、前記装置フレーム２８に対して回動自在に支持されたテープリテーナ５０と、
前記テープリテーナ５０の前記歯車４２とは反対側の後面部に形成されたばね取り付け部５４に一端が取り付けられ、他端が前記装置フレーム２８に支持されることにより、前記テープリテーナ５０の前記歯車４２に対向する円弧状の斜面５２ａを前記歯車４２に当接する方向に付勢するテープリテーナ引張用スプリング５８と、
前記案内通路４０の下流域で前記テープリテーナ回動用支持軸５６と同じ側に配置された位置規制軸６４と、
前記案内通路４０を挟んで前記位置規制軸６４の反対側に配置されたフォーミングレバー用回動軸９４と、
基端部５３と作用端部５７との間に略コ字状部の凹所５１が形成されたフォーミングレバー本体７１並びに、このフォーミングレバー本体７１の前記作用端部５７側に一体的に取り付けられたカッターホルダー７５から構成されたフォーミングレバー７８と、
前記フォーミングレバー本体７１に一端が取り付けられ、他端が前記装置フレーム２８に支持されることにより、前記フォーミングレバー本体７１の前記基端部５３を前記位置規制軸６４に当接するように付勢するフォーミングレバー引張用スプリング９２と、
前記フォーミングレバー本体７１の前記作用端部５７と前記カッターホルダー７５とに形成されたくちばし状の通路８６からなり、前記粘着テープ３８の先端部を縦方向に折り曲げる折曲手段と、
前記フォーミングレバー本体７１の前記作用端部５７側に具備され、前記粘着テープ３８を切断する切断手段と、を有し、
前記くちばし状の通路８６に、前記粘着テープ３８が差し込まれることにより、前記粘着テープ３８が縦方向に折り曲げられることを特徴としている。
【０００６】
このような構成であれば、ループ状に結束された粘着テープの両端部は、一方の端部と他方の端部とが、それぞれ２つ折りにされて別々に密着される一方、相互に離反した状態に配置されるので、テープを剥離する場合は、一方の端部を引っ張ることにより、結束部分を剥がすことができる。
【０００７】
このような構成であれば、テープリテーナを歯車から離反させることができるので、テープがからまった場合などに保守点検を容易に行なうことができる。
さらに、前記テープリテーナの外周面には、スライド操作用の突起が形成されていることが好ましい。
このような構成であれば、保守点検ならびに、詰まりなどが発生した場合に、この突起から力を加えることにより、テープリテーナを左右に動かすことができ、テープのリセットが容易になる。
【０００８】
また、前記切断手段は平板状のカッター刃であり、このカッター刃が前記フォーミングレバー本体と前記カッターホルダーとの間に着脱自在に取り付けられていることが好ましい。
【０００９】
さらに、前記カッター刃６８は、前記作用端部５７の進行方向に対して切断部分が斜めに配置されていることが好ましい。
このような構成であれば、カッター刃の取り付けおよび交換作業が容易で、またカッター刃の切断能力を向上させることもできる。
【００１０】
このような構成であれば、粘着テープの先端部を簡単な構成によりそれぞれ２つ折りにし、これに続いて切断することができるので、両端部同士が互いに接着してしまうことはない。
また、前記くちばし状の通路８６には、該くちばし状の通路８６を構成する一方の側壁と他方の側壁とに、該くちばし状の通路の両側から突起８３が互い違いに形成されることより、くちばし状の通路８６が縦方向にジグザグになるように形成されていることが好ましい。
【００１１】
このような構成であれば、縦方向に折り曲げられる粘着テープの先端部を確実に折り曲げて接着させることができる。
また、前記位置規制軸６４には、円筒状の筒部材が回転自在に取り付けられており、この筒部材の略中央部に、環状突起が形成されていることが好ましい。
このような構成であれば、これから切断しようとする部分の粘着テープの先端部分が縦方向に曲がり易いように力が作用するので、テープの２つ折り効果を促進することができる。
【００１２】
前記環状突起は、ゴム製のＯリング６３であることが好ましい。
このようにＯリング６３を用いれば、環状突起の構成が容易であるとともに、セットも容易である。
【００１３】
【発明の実施の形態】
以下、本発明の実施例について図面を参照しながら説明する。
図１および図２は、本発明の一実施例による結束器を示したものである。
この結束器２０は、脚部がＬ字状に折曲された一対の板体２４，２６が相対峙して配置されることにより、自立可能な略Ｔ字状の装置フレーム２８が構成されている。
【００１４】
装置フレーム２８を構成する一対の板体２４，２６には、一方の隅角部に斜め方向に案内溝３０が形成され、この案内溝３０の終端部に、テープリール３２のハブ部３４を回転自在に保持するリール体保持部３６が構成されている。そして、このリール体保持部３６には、円盤状のテープリール３２を介して粘着テープ３８が交換可能に設置されている。また、この粘着テープ３８からは、粘着面３８ａが上を向く方向でテープが繰り出されている。
【００１５】
一方、装置フレーム２８の他方の隅角部には、ビニール袋などの結束しようとする被シール体Ｃを差し込むための案内通路４０が斜め方向に形成され、この案内通路４０の終端部は、下部の大きな空間４３に連通している。なお、この被シール体Ｃは、例えば、ビニール袋の開口を塞ぐように中間部をつぼませた環状の塊であり、この部分にテープを巻回することにより袋が封止される。
【００１６】
さらに、案内通路４０の入口近傍には、歯車４２が配置され、この歯車４２の外周面には、複数の凹溝４４が形成されている。さらに、案内通路４０を挟んで歯車４２の反対側には、横方向に広がったテープリテーナ５０がテープリテーナ回動用支持軸５６を支点として回動可能に設置されている。
このテープリテーナ５０は、歯車４２の外周面を部分的に押圧するものであり、またこの歯車４２の外周面と対向する側面部に、円弧状の斜面５２ａが形成され、これと反対側の後面部に、ばね取付け部５４が形成され、これらの略中間部に、横方向に広がる長孔５５が形成されている。そして、この長孔５５内に、テープリテーナ５０の回転支点となるテープリテーナ回動用支持軸５６が装置フレーム２８に固定設置されている。
【００１７】
ばね取付け部５４には、テープリテーナ引張用スプリング５８の一端が取り付けられており、テープリテーナ引張用スプリング５８の他端は、装置フレーム２８の脚部側に固定設置された軸６０に係止されている。
したがって、テープリテーナ５０は、通常、テープリテーナ引張用スプリング５８の付勢力により、長孔５５内のテープリテーナ回動用支持軸５６を支点として、図２において反時計方向の力を受けており、この力によりリテーナ５０の斜面５２ａが、歯車４２の外周面を押圧している。
【００１８】
なお、テープリテーナ引張用スプリング５８の他端を支持している軸６０およびこれと反対側の軸６２、及びテープリテーナ５０を支持しているテープリテーナ用回動支持軸５６、歯車４２を支持している軸４１などは、それぞれ装置フレーム２８を構成する一対の板体２４，２６間の距離を一定にするためのスペーサとして機能するもので、これらの長さは、同じ長さに設定されている。
【００１９】
また、案内通路４０の途中には、位置規制軸６４が植設されている。
この位置規制軸６４は、図３に示したように、両端部に取り付けられる六角ナット１３，１３などにより、板体２４，２６間に回動不能に支持されるもので、その外周面には、プラスチックなどから形成された円筒状のカラー６１が介装され、さらにそのカラー６１の中央部にゴム製のＯリング６３が装着されている。したがって、このカラー６１およびＯリング６３は、位置規制軸６４に対して回動可能に設置される。
【００２０】
また、案内通路４０を挟んで位置規制軸６４の反対側には、フォーミングレバー用回動軸９４を回動支点とするフォーミングレバー７８が設置されており、このフォーミングレバー７８はフォーミングレバー引張用スプリング９２により、下方の軸６２側に引っ張られている。
このフォーミングレバー７８は、図４に分解して示したように、分割体から構成されるもので、例えば、略三角形状のフォーミングレバー本体７１と、このフォーミングレバー本体７１の天井部にネジ７３により着脱自在に組み付けられるカッターホルダー７５などから構成されている。そして、カッターホルダー７５の底面には、ネジ７７により平板尖塔状のカッター刃６８が取り外し可能に取り付けられている。したがって、このカッター刃６８は、ネジ７７を取り外すことにより他のものと交換することができる。
【００２１】
なお、このカッター刃６８は、先端部６８ａが鋭角にされており、この姿勢で取り付けられることにより、Ｂ方向に送られてくるテープに対する切れ味が良好にされている。
また、フォーミングレバー本体７１の一側面には、略コ字状の凹所５１が形成されている。そして、この凹所５１内に上記位置規制軸６４が立設されることにより、フォーミングレバー７８の回動域が規定されている。また、この凹所５１を挟んで一方側に、折曲手段および切断手段を備えた作用端部５７が、他方側に位置規制軸６４に当接する基端部５３がそれぞれ形成されている。また、フォーミングレバー本体７１の他方側の側面部には、フォーミングレバー引張用スプリング９２を取り付けるためのばね取り付け部９１が設けられている。
【００２２】
したがって、このようなフォーミングレバー７８は、図２に示したようにフォーミングレバー用回動軸９４を支点として矢印Ａ−Ａ’方向に回動可能であるが、位置規制軸６４のＯリング６３に、作用端部５７または基端部５３が当接されることにより、Ａ−Ａ'方向の回動域が規制されている。
さらに、図４に示したように、フォーミングレバー本体７１の作用端部５７およびカッターホルダー７５の一端部には、それぞれ略Ｙ字状のスリットが形成されることにより、ここに通路幅が次第に狭くなるくちばし状の通路８６が形成されている。なお、このくちばし状の通路８６内には、例えば、図４のＢ方向矢視である図５に示したように、両側から互い違いに突起８３，８３が形成されることにより、縦方向（図６の紙面に対して直角な方向）にジグザクに形成されている。したがって、図６に示したように、カッターホルダー７５からフォーミングレバー本体７１の作用端部５７の範囲に連続して形成されたこのくちばし状の通路８６に、粘着テープ３８が幅いっぱいに広がって送られてくると、この粘着テープ３８は、突起８３により一層幅の狭められた通路８６内を２つ折りにされながら通過することにより、互い違いの突起８３で押圧される、これにより、粘着面３８ａ同士が重ね合わされる。
【００２３】
なお、このようなフォーミングレバー７８は、フォーミングレバー引張用スプリング９２の作用により、通常は、図２に示したように、基端部５３が位置規制軸６４に当接した状態にある。そして、この状態から、ビニール袋などの被シール部材Ｃが案内通路４０内に送られてきて、この被シール体Ｃからの力により基端部５３が下方に押し込まれると、フォーミングレバー７８は、フォーミングレバー用回動軸９４を支点として図１において反時計方向に回動する。すなわち、基端部５３が位置規制軸６４から離反する。すると、くちばし状の通路８６並びにカッター刃６８を備えた作用端部５７が案内通路４０側に接近するようになる。そして、作用端部５７が案内通路４０を横断することにより、くちばし状の通路８６内に図６に示したように、相対的にテープが案内され、さらに内方のカッター刃６８に到達することにより、２つ折りにされた粘着テープ３８が所定位置から切断される。
【００２４】
このように、カッター刃６８を備えたカッターホルダー７５は、案内通路４０に対し、接近または離反可能に配置されている。よって、図２の状態において、案内通路４０は開放されているが、カッターホルダー７５が突出してきたときに、案内通路４０は閉塞されることになる。
以下、本発明の作用について、さらに図２、図７、図８を参照しながら説明する。
【００２５】
今、被シール体Ｃは、野菜などを収容したビニール袋を束ねた部分である。また、粘着テープ３８のロール体から引き出された先端部３８ｂは、案内通路４０内にあり、粘着面３８ａは上を向いている。粘着テープ３８の先端部３８ｂは、前回の結束により、予め縦方向に折り曲げられている。一方、テープリテーナ５０は、スプリング５８の付勢力により、歯車４２の外周面に押し当てられており、これにより歯車４２の回動が阻止されるとともに、粘着テープ３８が挟持され、粘着面３８ａは、テープリテーナ５０の傾斜面５２ａに一時的に付着されている。
【００２６】
この状態から、案内通路４０内に、被シール体Ｃが挿入される。すると、被シール体Ｃは、図７（Ａ）に示したように、粘着テープ３８の、粘着面３８ａに接着される。この状態からさらに、被シール体Ｃを下方に押し込むと、被シール体Ｃは、同図（Ｂ）に示したように、歯車４２の凹溝４４内に押し込まれる。これにより、被シール体Ｃに対する粘着テープ３８の接着面積が大きくなる。また、粘着テープ３８は、テープリテーナ５０の斜面５２ａに付着されたままであるため、ここから剥がれることはない。図７（Ｂ）の状態から続いて、被シール体Ｃを押し込むと、同図（Ｃ）に示したように、粘着テープ３８が被シール体Ｃの外周に対し、略一周分ループ状に巻回される。
【００２７】
さらに、被シール体Ｃがこの状態から押し込まれると、図８（Ａ）に示したように、粘着テープ３８の、粘着面３８ａがテープリテーナ５０の斜面５２ａに引きずられるので、被シール体Ｃの周りにループ状の輪が形成される。この状態から、さらに被シール体Ｃが押し込まれると、図８（Ｂ）に示したように、被シール体Ｃが歯車４２の凹溝４４から解放される。すると、これまでテープリテーナ５０に一時的に付着されていた部分も強制的に剥がされる。
【００２８】
その後、この被シール体Ｃは、図２に示したフォーミングレバー７８の下方の基端部５３に到達し、この基端部５３を、図２において、矢印Ａ方向に回動させる。すると、被シール体Ｃは、フォーミングレバー７８を回動させながら下方に移動する。一方、位置規制軸６４の直ぐ上方では、図９に示したように、被シール体ＣがＯリング６３の周面で押圧されている。これにより、フォーミングレバー７８の作用端部５７と位置規制軸６４との間で引っ張られた粘着テープ３８は、Ｏリング６３により、折れ線が形成される。また、その後、フォーミングレバー７８の作用端部５７が案内通路４０内に突出してくるので、粘着テープ３８は、くちばし状の通路８６内に挿入される。
【００２９】
したがって、下方では、Ｏリング６３により折れ線が形成され、上方では、くちばし状の通路８６により、粘着テープ３８が縦方向に折り曲げられるので、粘着テープ３８を、確実に縦方向に折れ曲げることができる。一方、くちばし状の通路８６の内方には、カッター刃６８が具備されているため、テープ３８が縦方向に折り曲げられて案内されてくるときに、図８（Ｃ）に示したように、カッター刃６８により切断される。すなわち、粘着テープ３８は、縦方向に折り曲げられた部分から、切断されることになる。
【００３０】
なお、粘着テープ３８の縦方向に折り曲げられる長さは、少なくとも、くちばし状の通路８６が形成された作動端部５７の高さとカッターホルダー７５の高さとを加えた長さである。また、カッター刃６８は、その縦方向に折り曲げられた長さの略中央位置を切断する。よって、縦方向に折り曲げられカッター刃６８で切断された部分の下半部は、被シール体Ｃに付随する切断部３９ａとなり、上半部は、次に結束する場合の先端部３８ｂ’となる。
【００３１】
このように、切断され切り落とされた切断部３９ａは、図１０に示したように、縦方向に折り曲げられている。また、既に切断されている先端部３８ｂも予め縦方向に折り曲げられているので、結果として、各端部３９ａ、３８ｂは、それぞれ縦方向に２つに折り曲げられた状態で、互いに接着されることなく、配置されることになる。
【００３２】
したがって、これらの端部３９ａ、３８ｂ同士が、接着されてしまうことはない。そして、このシール部分を剥がそうとする場合は、端部３９ａ，３８ｂを、それぞれ逆方向に引っ張れば、ループ状の環を簡単に剥がすことができる。よって、ビニール袋２を破らずに、内容物を取り出すことができる。
さらに、上記実施例において、連続運転中にテープの先端側が案内通路４０内でからまったりした場合は、テープリテーナ５０の頭部に形成された突起１５を、図２において左方向に移動させれば、テープリテーナ回動用支持軸５６に対して長孔５５が相対的に左方に移動するので、テープリテーナ５０と歯車４２との当接状態を解除することができる。よって、テープ３８のからみを取り除いて正しい状態にセットし直すことが可能になる。
【００３３】
なお、本実施例の結束器２０では、装置フレーム２８の板体２４の外面に、他のカッター４５が取り付けられているので、このカッター４５を利用して、テープの余剰部分などを切断する作業を行なうこともできる。
このような結束器２０では、粘着テープ３８の縦方向に折り曲げられる長さは、カッターホルダー７５の高さと作動端部５７の高さとを加えた長さになるため、これを２つに切断しても、充分な長さを確保することができる。したがって、ビニール袋などの被シール体Ｃに具備されるテープ端部を、充分長く確保することができる。また、位置規制軸６４の外周に具備されるＯリング６３は、幅が細く、回動自在であるため、粘着テープ３８の幅方向の略中央部に縦方向の折れ線を形成するのに好適で、しかも被シール体Ｃが位置規制軸６４より下方に移動したときに、このＯリング６３は、粘着テープの背面を押圧するようになるので、のり面同士の接着性を向上させることができる。
【００３４】
以上、本発明の一実施例について説明したが、本発明は上記実施例に何ら限定されない。
例えば、粘着テープで結束される被シール体Ｃは、ビニール袋の開口部に限定されず、鉛筆などの棒材などであってもよく、限定されるものではない。
また、上記実施例では、フォーミングレバー７８は、フォーミングレバー本体７１とカッターホルダー７５との２つの分割体から構成されているが、勿論、２つ以上の分割体から構成されていても良い。
【００３５】
さらに、位置規制軸６４は、装置フレーム２８に対して回動不能に設置されているが、回動可能に設置されていても良い。
【００３６】
【発明の効果】
以上説明したように、本発明に係る結束器によれば、粘着テープの端末が片側ずつ縦方向に折り曲げられた状態で接着されているので、両端部間が接着されてしまうことはない。したがって、結束部分から粘着テープを剥がすことが容易である。
【００３７】
また、縦方向に折り曲げられた部分の長さを十分に長く確保することができるため、テープの剥離性を向上させることができる。
【図面の簡単な説明】
【図１】図１は本発明の一実施例による結束器の斜視図である。
【図２】図２は図１の結束器において、手前側の板体を取り外した状態で示した正面図である。
【図３】図３は同実施例の結束器に使用されている位置規制軸の取り付け構造を示した斜視図である。
【図４】図４は同実施例の結束器で使用されているフォーミングレバーと、ここに組み込まれた切断手段の分解斜視図である。
【図５】図５は図４に示したフォーミングレバーの一部をＢ方向から見た矢視図である。
【図６】図６は図４に示したフォーミングレバーに具備されたくちばし状通路の平面図である。
【図７】図７（Ａ）、図７（Ｂ）、図７（Ｃ）は、本発明の一実施例による結束器の作用を順番に示した説明図である。
【図８】図８（Ａ）、図８（Ｂ）、図８（Ｃ）は、図７に続く結束器の作用を順番に示した説明図である。
【図９】図９は図１に示した結束器において、粘着テープが縦方向に折り曲げられるときの斜視図である。
【図１０】図１０は図１に示した結束器において、ビニール袋が粘着テープで結束された状態を示す斜視図である。
【図１１】図１１は従来の結束器の正面図である。
【図１２】図１２は従来の結束器で結束された袋の状態を示す斜視図である。
【符号の説明】
１５      スライド操作用の突起
２０      結束器
２８      装置フレーム
３２      テープリール
３６      リール体保持部
３８      粘着テープ
４０      案内通路
４２      歯車
４４      凹溝
５０      テープリテーナ
５１      凹所
５３      基端部
５６      テープリテーナ回動用支持軸
５７      作用端部
５８      テープリテーナ引張用スプリング
６１      カラー(筒部材)
６３      Ｏリング（環状突起）
６４      位置規制軸
６８      カッター刃(切断手段)
７８      フォーミングレバー
８６      くちばし状の通路（折曲手段）
９２      フォーミングレバー引張用スプリング
９４      フォーミングレバー用回動軸
Ｃ        被シール体
【図１】
0003906972.tif 000002
【図２】
0003906972.tif 000003
【図３】
0003906972.tif 000004
【図４】
0003906972.tif 000005
【図５】
0003906972.tif 000006
【図６】
0003906972.tif 000007
【図７】
0003906972.tif 000008
【図８】
0003906972.tif 000009
【図９】
0003906972.tif 000010
【図１０】
0003906972.tif 000011
【図１１】
0003906972.tif 000012
【図１２】
0003906972.tif 000013